(57)【要約】  送信装置は、音声信号ＳＤを取得する音声取得部と、音声取得部が形成する音声信号ＳＤを含む送信信号ＳＴを形成する無線信号形成部と、送信信号ＳＴを送信する送信部を備える。送信信号ＳＴは、第１トーン信号ＳＡと、第１トーン信号ＳＡに重ねられる識別信号ＳＣと、第１トーン信号ＳＡの後に続く第２トーン信号ＳＢとをさらに含み、音声信号ＳＤは、第２トーン信号ＳＢに重ねられる。
2020194581.tif 000002
【特許請求の範囲】
【請求項１】
音声信号を取得する音声取得部と、前記音声信号を含む送信信号を形成する無線信号形成部と、前記送信信号を送信する送信部とを備え、
前記送信信号は、第１トーン信号と、前記第１トーン信号に重ねられる識別信号と、前記第１トーン信号の後に続く第２トーン信号とをさらに含み、
前記音声信号は、前記第２トーン信号に重ねられる
送信装置。
【請求項２】
第１トーン信号と、前記第１トーン信号に重ねられる識別信号と、前記第１トーン信号の後に続く第２トーン信号と、前記第２トーン信号に重ねられる音声信号と、を含む送信信号を受信する受信装置であって、
前記送信信号を受信する受信部と、前記受信部が受けた受信信号に基づいて前記受信信号に音声信号が含まれるか否かを判定する判定部と、前記判定部の判定結果に基づいて前記受信信号から音声信号を取り出す取出部とを備え、
前記判定部は、前記受信信号から前記第１トーン信号を検出する第１検出部と、前記受信信号から前記第２トーン信号を検出する第２検出部と、前記受信信号から前記識別信号を検出する第３検出部とを備え、前記判定部は、前記第１検出部が前記第１トーン信号を検出すること、前記第３検出部が前記識別信号を検出すること、および前記第２検出部が前記第２トーン信号を検出することに基づいて、前記第２トーン信号の検出時以降、前記受信信号から音声信号を取り出させるための信号を前記取出部に出力する
受信装置。
【請求項３】
前記判定部は、前記受信信号の強度が第１閾値よりも大きいか否かを判定する強度判定部、および、ノイズ強度が第２閾値よりも小さいか否かを判定するノイズ判定部をさらに備え、
前記判定部は、前記受信信号の強度が前記第１閾値よりも大きいと前記強度判定部が、判定すること、ノイズ強度が前記第２閾値よりも小さいと前記ノイズ判定部が判定すること、前記第１検出部が前記第１トーン信号を検出すること、前記第３検出部が前記識別信号を検出すること、および、前記第２検出部が前記第２トーン信号を検出すること、に基づいて、前記第２トーン信号の検出時以降、前記受信信号から音声信号を取り出させるための信号を前記取出部に出力する
請求項２に記載の受信装置。
【請求項４】
前記取出部は、切替部と、フィルタ部とを備え、
前記切替部は、前記判定部の判定結果に基づいて、前記受信信号を前記フィルタ部に出力する出力状態と、前記受信信号を前記フィルタ部に出力しない非出力状態との間を切り替え、
前記フィルタ部は、前記受信信号から第２トーン信号を除いて前記音声信号を出力する
請求項２または３に記載の受信装置。
【請求項５】
請求項１に記載の送信装置と、請求項２〜請求項４のいずれか一項に記載の受信装置とを備えるワイヤレスマイクロホンシステム。
【発明の詳細な説明】
【技術分野】
【０００１】
本発明は、送信装置、受信装置、およびワイヤレスマイクロホンシステムに関する。
【背景技術】
【０００２】
特許文献１に記載のワイヤレスマイクロホンシステムは、送信装置と、受信装置とを備える。送信装置は、所定のトーン信号と音声信号とを送信する。受信装置は、所定のトーン信号を受信したとき、音声信号を外部装置（例えば、スピーカー）に出力する。
【先行技術文献】
【特許文献】
【０００３】
【特許文献１】特開平４−３５６８２６号公報
【発明の概要】
【発明が解決しようとする課題】
【０００４】
ところで、特定の音声信号を受信する選択精度を向上させるため、送信信号に識別信号（特定の音声信号であることを示す識別信号、例えば、ＩＤ信号。）を重畳する場合がある。この場合、送信信号に識別信号と音声信号とが含まれていることから、送信信号から適切に音声信号を取り出せないといった問題が生じる。【０００５】
本発明の目的は、音声信号を適切に取り出すことができる、送信装置、受信装置、およびワイヤレスマイクロホンシステムを提供することにある。
【課題を解決するための手段】
【０００６】
（１）本発明の一側面に従う送信装置は、音声信号を取得する音声取得部と、前記音声信号を含む送信信号を形成する無線信号形成部と、前記送信信号を送信する送信部とを備え、前記送信信号は、第１トーン信号と、前記第１トーン信号に重ねられる識別信号と、前記第１トーン信号の後に続く第２トーン信号とをさらに含み、前記音声信号は、前記第２トーン信号に重ねられる。【０００７】
この構成によれば、音声信号は、識別信号が重ねられる第１トーン信号とは異なる第２トーン信号に重ねられる。このため、受信装置に、音声信号の送信のタイミングを精確に知らせることができる。このように、この送信信号によれば、音声信号を適切に取り出すことができる。【０００８】
（２）本発明の一側面に従う受信装置は、第１トーン信号と、前記第１トーン信号に重ねられる識別信号と、前記第１トーン信号の後に続く第２トーン信号と、前記第２トーン信号に重ねられる音声信号と、を含む送信信号を受信する受信装置であって、前記送信信号を受信する受信部と、前記受信部が受けた受信信号に基づいて前記受信信号に音声信号が含まれるか否かを判定する判定部と、前記判定部の判定結果に基づいて前記受信信号から音声信号を取り出す取出部とを備え、前記判定部は、前記受信信号から前記第１トーン信号を検出する第１検出部と、前記受信信号から前記第２トーン信号を検出する第２検出部と、前記受信信号から前記識別信号を検出する第３検出部とを備え、前記判定部は、前記第１検出部が前記第１トーン信号を検出すること、前記第３検出部が前記識別信号を検出すること、および前記第２検出部が前記第２トーン信号を検出することに基づいて、前記第２トーン信号の検出時以降、前記受信信号から音声信号を取り出させるための信号を前記取出部に出力する。【０００９】
この構成によれば、判定部は、第１トーン信号、識別信号、および第２トーン信号を検出したときに、これらを含む信号に、音声信号が含まれると判定する。そして、取出部は、第２トーン信号の検出時以降、受信信号から音声信号を取り出す。これによって、音声信号の最初の部分が取り出されないことを抑制し、音声信号を適切に取り出すことができる。【００１０】
（３）好ましくは、上記受信装置において、前記判定部は、前記受信信号の強度が第１閾値よりも大きいか否かを判定する強度判定部、および、ノイズ強度が第２閾値よりも小さいか否かを判定するノイズ判定部をさらに備え、前記判定部は、前記受信信号の強度が前記第１閾値よりも大きいと前記強度判定部が判定すること、ノイズ強度が前記第２閾値よりも小さいと前記ノイズ判定部が判定すること、前記第１検出部が前記第１トーン信号を検出すること、前記第３検出部が前記識別信号を検出すること、および、前記第２検出部が前記第２トーン信号を検出すること、に基づいて、前記第２トーン信号の検出時以降、前記受信信号から音声信号を取り出させるための信号を前記取出部に出力する。【００１１】
この構成によれば、判定部は、５個の要件が揃うことによって受信信号から音声信号を取り出させるための信号を取出部に出力する。これによって、５個未満の要件によって音声信号の有無を判定する場合に比べて、出力する音声信号の品質を向上できる。【００１２】
（４）好ましくは、上記受信装置において、前記取出部は、切替部と、フィルタ部とを備え、前記切替部は、前記判定部の判定結果に基づいて、前記受信信号を前記フィルタ部に出力する出力状態と、前記受信信号を前記フィルタ部に出力しない非出力状態との間を切り替え、前記フィルタ部は、前記受信信号から第２トーン信号を除いて前記音声信号を出力する。この構成によれば、音声信号を出力できる。【００１３】
（５）本発明の一側面に従うワイヤレスマイクロホンシステムは、上記送信装置と、上記受信装置とを備える。
この構成によれば、音声信号を適切に取り出すことができる。
【発明の効果】
【００１４】
送信装置、受信装置、およびワイヤレスマイクロホンシステムによれば、音声信号を適切に取り出すことができる。
【図面の簡単な説明】
【００１５】
【図１】ワイヤレスマイクロホンシステムの模式図。
【図２】送信装置のブロック図。
【図３】送信信号の模式図。
【図４】受信装置のブロック図。
【図５】各フラッグのタイミングを示すタイミングチャート。
【発明を実施するための形態】
【００１６】
図１〜図５を参照して、ワイヤレスマイクロホンシステム１について説明する。
ワイヤレスマイクロホンシステム１（以下、単に「ＷＬシステム１」という。）は、送信装置３と、受信装置４と、スピーカー５とを備える。送信装置３は、音声信号ＳＤを含む送信信号ＳＴを無線によって送信する。受信装置４は、送信装置３から送信された送信信号ＳＴを受信する。スピーカー５は、受信装置４に接続される。スピーカー５は、受信装置４から出力される音声信号ＳＤを拡声する。
【００１７】
図２を参照して、送信装置３について説明する。
送信装置３は、音声信号ＳＤを取得する音声取得部１０（マイクロホン）と、無線信号形成部１１と、送信信号ＳＴを送信する送信部１２を備える。音声取得部１０は、音声を音声信号ＳＤとして出力する。音声取得部１０は、無線信号形成部１１に接続される。送信部１２は、送信アンテナを含む。送信部１２は、送信信号ＳＴを無線によって送信する。例えば、送信部１２は、送信信号ＳＴを、電波に変換して送信する。
【００１８】
無線信号形成部１１は、音声信号ＳＤを含む送信信号ＳＴを形成する。無線信号形成部１１は、アンプ部２０と、識別信号出力部２１と、第１トーン形成部２２と、第２トーン形成部２３と、重畳部２４と、変調回路２５と、高周波送信回路２６とを備える。さらに、無線信号形成部１１は、第１スイッチ２７と、第２スイッチ２８とを備える。
【００１９】
アンプ部２０は、音声信号ＳＤを増幅する。アンプ部２０は、１段でもよいし、多段であってもよい。
識別信号出力部２１は、識別信号ＳＣを出力する。識別信号ＳＣは、特定の音声信号であることを示す信号であって、送信装置３それぞれに個別に設定されるＩＤ符号に対応するＩＤ信号である。ＩＤ符号は、複数の符号によって構成される。識別信号出力部２１は、予め設定された識別信号ＳＣを保持するものでもよいし、識別信号ＳＣを形成するものであってもよい。識別信号ＳＣは、送信信号ＳＴがＷＬシステム１内の送信装置３から送信されたものであることを、ＷＬシステム１内の受信装置４に認証させるための信号である。ＷＬシステム１内の送信装置３と受信装置４とは、共通の識別信号ＳＣを保持する。
【００２０】
第１スイッチ２７は、アンプ部２０の出力部と重畳部２４とを接続させる第１接続モードと、識別信号出力部２１と重畳部２４とを接続させる第２接続モードとの間を切り替える。第１スイッチ２７の動作によって、音声信号ＳＤおよび識別信号ＳＣのうちの一方が重畳部２４に出力される。
【００２１】
第１トーン形成部２２は、所定周波数の第１トーン信号ＳＡを形成する。第２トーン形成部２３は、第１トーン信号ＳＡとは異なる第２トーン信号ＳＢを形成する。第２トーン信号ＳＢは、第１トーン信号ＳＡと判別可能であればよい。例えば、第２トーン信号ＳＢの周波数は、第１トーン信号ＳＡの周波数と異なる。トーン信号が耳障りにならないように、第１トーン信号ＳＡの周波数は、可聴音帯域よりも高い周波数であることが好ましい。また、第２トーン信号ＳＢの周波数は、可聴音帯域よりも高い周波数であることが好ましい。
【００２２】
第２スイッチ２８は、第１トーン形成部２２の出力部と重畳部２４とを接続させる第３接続モードと、第２トーン形成部２３と重畳部２４とを接続させる第４接続モードとの間を切り替える。第２スイッチ２８の動作によって、第１トーン信号ＳＡおよび第２トーン信号ＳＢのうちの一方が重畳部２４に出力される。
【００２３】
第１スイッチ２７および第２スイッチ２８は、連動する。第１スイッチ２７の動作および第２スイッチ２８の動作によって構成されるスイッチ状態には、第１スイッチ状態と第２スイッチ状態の２つがある。第１スイッチ状態は、識別信号を送信するように切り替わった状態である。第１スイッチ状態では、第１スイッチ２７が上記の第２接続モードに設定され、かつ第２スイッチ２８が上記の第３接続モードに設定される。第２スイッチ状態は、音声信号ＳＤを送信するように切り替わった状態である。第２スイッチ状態では、第１スイッチ２７が上記の第１接続モードに設定され、かつ第２スイッチ２８が上記の第４接続モードに設定される。
【００２４】
重畳部２４は、第１トーン信号ＳＡおよび第２トーン信号ＳＢのいずれか一方と、音声信号ＳＤおよび識別信号ＳＣのいずれか一方とを重畳する。具体的には、第１スイッチ状態のとき、重畳部２４は、識別信号ＳＣと第１トーン信号ＳＡとを重畳する。第２スイッチ状態のとき、重畳部２４は、音声信号ＳＤと第２トーン信号ＳＢとを重畳する。
【００２５】
変調回路２５は、重畳部２４から出される信号を変調する。高周波送信回路２６は、変調された信号を高周波数の周波数に変換し、高周波の周波数に変換された信号を送信信号ＳＴとして送信部１２に出力する。
【００２６】
以上のようにして、送信装置３は、送信信号ＳＴを形成する。上述のように、送信信号ＳＴは、第１トーン信号ＳＡと、第１トーン信号ＳＡに重ねられる識別信号ＳＣと、第１トーン信号ＳＡの後に続く第２トーン信号ＳＢと、第２トーン信号ＳＢに重ねられる音声信号ＳＤとを含む。
【００２７】
図３を参照して、送信信号ＳＴの一例を説明する。
第１トーン信号ＳＡには、所定回数の識別信号ＳＣが繰り返し重畳される。なお、第１トーン信号ＳＡに、所定期間おきに、所定回数の識別信号ＳＣを繰り返し重畳してもよい。第２トーン信号ＳＢは、第１トーン信号ＳＡの後に続く。第２トーン信号ＳＢには、音声信号ＳＤが重畳される。第１トーン信号ＳＡは、受信装置４に、識別信号ＳＣが出力されていることを知らせる信号である。第２トーン信号ＳＢは、受信装置４に、音声信号ＳＤが出力されていることを知らせる信号である。
【００２８】
図４を参照して、受信装置４について説明する。
受信装置４は、受信部３０と、判定部３１と、取出部３２とを備える。好ましくは、受信装置４は、高周波受信回路３３と、復調回路３４とをさらに備える。
【００２９】
受信部３０は、送信信号ＳＴを受信する。受信部３０は、受信した送信信号ＳＴを受信信号として後続の高周波受信回路３３に出力する。高周波受信回路３３は、受信部３０から受信信号を受ける。高周波受信回路３３は、高周波数の受信信号を中間周波数の信号に変換する。
【００３０】
復調回路３４は、中間周波数に変換された受信信号を高周波受信回路３３から受ける。復調回路３４は、中間周波数の信号を復調する。取出部３２は、復調された受信信号を受ける。
【００３１】
取出部３２は、判定部３１の判定結果に基づいて受信信号から音声信号ＳＤを取り出す。取出部３２は、判定部３１から、後述の信号取出指令を受けるとき、受信信号から音声信号ＳＤを取り出して、音声信号ＳＤを外部装置（本実施形態では、スピーカー５）に出力する。取出部３２は、判定部３１から、後述の信号取出指令を受けないとき、受信信号から音声信号ＳＤを外部装置に出力しない。
【００３２】
例えば、取出部３２は、切替部３５と、フィルタ部３６とを備える。
切替部３５は、判定部３１の判定結果に基づいて、受信信号をフィルタ部３６に出力する出力状態と、受信信号をフィルタ部３６に出力しない非出力状態との間を切り替える。一例では、切替部３５は、ミュート回路３５Ｃによって構成される。ミュート回路３５Ｃは、回路入力部３５ａと回路出力部３５ｂとを接続する信号線３５ｃと、グランドに接続されるグランド線３５ｄと、信号線３５ｃとグランド線３５ｄとを接続するスイッチ３５ｅとを備える。信号線３５ｃは、受信信号をフィルタ部３６に伝達する。スイッチ３５ｅによって信号線３５ｃとグランド線３５ｄとが接続されるとき、受信信号は、グランドに落ちるため、受信信号はミュート回路３５Ｃから出力されない（「非出力状態」）。スイッチ３５ｅの動作によって信号線３５ｃとグランド線３５ｄとが接続されないとき、受信信号は、信号線３５ｃを伝達して、ミュート回路３５Ｃの回路出力部３５ｂに出力される（「出力状態」）。フィルタ部３６は、受信信号から第２トーン信号ＳＢを除いて、音声信号ＳＤを出力する。
【００３３】
判定部３１は、受信部３０が受けた受信信号に基づいて受信信号に音声信号ＳＤが含まれるか否かを判定する。具体的には、判定部３１は、演算部４０と、第１検出部４１と、第２検出部４２と、第３検出部４３とを備える。
【００３４】
演算部４０は、演算部４０に入力される信号に基づいて、判定結果を取出部３２に出力する。本実施形態では、演算部４０は、後述の５つのフラッグの全てがオンのとき、受信信号から音声信号ＳＤを取り出させる指令（以下、「信号取出指令」）（例えば、オン信号）を、取出部３２に出力する。また、演算部４０は、後述の５つのフラッグの少なくとも１つがオフのとき、信号取出指令を、取出部３２に出力しない。
【００３５】
第１検出部４１は、受信信号から第１トーン信号ＳＡを検出する。第１検出部４１は、第１トーン信号ＳＡを検出すると、オン信号を演算部４０に出力する。第２検出部４２は、受信信号から第２トーン信号ＳＢを検出する。第２検出部４２は、第２トーン信号ＳＢを検出すると、オン信号を演算部４０に出力する。第３検出部４３は、受信信号から識別信号ＳＣを検出する。第３検出部４３は、識別信号ＳＣを検出すると、オン信号を演算部４０に出力する。
【００３６】
好ましくは、判定部３１は、第１検出部４１〜第３検出部４３に加えて、強度判定部４４およびノイズ判定部４５を備える。強度判定部４４は、受信信号の強度が第１閾値よりも大きいか否かを判定する。強度判定部４４は、受信信号の強度が第１閾値よりも大きいと判定すると、受信強度が十分であることを示す信号（以下、「受信可能強度信号」）を演算部４０に出力する。ノイズ判定部４５は、ノイズ強度が第２閾値よりも小さいか否かを判定する。ノイズ判定部４５は、ノイズ強度が第２閾値よりも小さいと判定すると、ノイズが小さいことを示す信号（「許容ノイズ信号」）を演算部４０に出力する。
【００３７】
上述したように、演算部４０は、後述の５つのフラッグの全てがオンのとき、信号取出指令を取出部３２に出力する。具体的には、演算部４０は、（ａ）強度判定部４４が、受信信号の強度が第１閾値よりも大きいと判定すること、（ｂ）ノイズ判定部４５が、ノイズ強度が第２閾値よりも小さいと判定すること、（ｃ）第１検出部４１が第１トーン信号ＳＡを検出すること、（ｄ）第３検出部４３が識別信号ＳＣを検出すること、および、（ｅ）第２検出部４２が第２トーン信号ＳＢを検出すること、に基づいて、信号取出指令を取出部３２に出力する。
【００３８】
図５を参照して、受信装置４の動作を説明する。
送信装置３が送信信号ＳＴを出力したときの、演算部４０における各フラッグの推移を説明する。演算部４０は、ノイズフラッグ、強度フラッグ、第１トーンフラッグ、第２トーンフラッグ、および識別フラッグを有する。
【００３９】
ノイズフラッグは、ノイズ判定部４５から受ける信号に基づく信号である。ノイズフラッグは、ノイズ判定部４５の許容ノイズ信号に基づいてオンになる。ノイズフラッグは、演算部４０が許容ノイズ信号を受けている状態にわたってオンを維持し、演算部４０が許容ノイズ信号を受けないときオフを維持する。
【００４０】
強度フラッグは、強度判定部４４から受ける信号に基づく信号である。強度フラッグは、強度判定部４４の受信可能強度信号に基づいてオンになる。強度フラッグは、演算部４０が受信可能強度信号を受けている状態にわたってオンを維持し、演算部４０が受信可能強度信号を受けないときオフを維持する。
【００４１】
第１トーンフラッグは、第１検出部４１から受ける信号に基づく信号である。第１トーンフラッグは、演算部４０が第１検出部４１からオン信号を受けることに基づいてオンになり、演算部４０が第１検出部４１からオン信号を受けなくなった後でも、オンを維持し続ける。
【００４２】
第２トーンフラッグは、演算部４０が第２検出部４２から受ける信号に基づく信号である。第２トーンフラッグは、演算部４０が第２検出部４２からオン信号を受けることに基づいてオンになる。第２トーンフラッグは、演算部４０がオン信号を受けている状態にわたってオンを維持し、演算部４０がオン信号を受けないときオフを維持する。
【００４３】
識別フラッグは、第３検出部４３から受ける信号に基づく信号である。識別フラッグは、演算部４０が第３検出部４３からオン信号を受けることに基づいてオンになり、演算部４０が第３検出部４３からオン信号を受けなくなった後でも、オンを維持し続ける。
【００４４】
以下に演算部４０の動作を説明する。
送信装置３から送信信号ＳＴが送信されると、時刻ｔ１において、ノイズ判定部４５は、受信信号の強度が十分に大きいことに基づいてノイズ強度の判定を実行し、ノイズ強度が第２閾値よりも小さいことに基づいて許容ノイズ信号を出力する。ノイズ判定部４５が許容ノイズ信号を出力すると、ノイズフラッグは「オン」になる。
【００４５】
時刻ｔ１の後（時刻ｔ１と時刻ｔ２との間の期間）、第１検出部４１は、第１トーン信号ＳＡを検出する。なお、第１検出部４１の検出手段の構成によっては、ノイズ判定部４５の判定時（時刻ｔ１）と略同時刻に第１トーン信号ＳＡを検出できる場合もある。第１検出部４１は、第１トーン信号ＳＡを検出している期間、オン信号を出力する。このとき、第１トーンフラッグは、「オン」になり、その後、「オン」状態を維持し続ける。
【００４６】
強度判定部４４は、常時、受信信号の強度が第１閾値よりも大きいか否かを判定する。この例では、送信信号ＳＴが送信される時刻ｔ１において、強度判定部４４は、受信信号の強度が第１閾値よりも大きいと判定し、オン信号を出力する。このとき、強度フラッグは、「オン」になる。
【００４７】
復調回路３４によって復調された信号には、第１トーン信号ＳＡと識別信号ＳＣとが含まれていることから、時刻ｔ１のしばらくした後、時刻ｔ２において、第３検出部４３が識別信号ＳＣを検出する。第３検出部４３が識別信号ＳＣを検出すると、第３検出部４３は、オン信号を出力する。このとき、識別フラッグは、「オン」になり、その後、「オン」状態を維持し続ける。
【００４８】
その後、時刻ｔ３において、第２検出部４２は、第２トーン信号ＳＢを受信する。第２検出部４２は、第２トーン信号ＳＢを検出している期間、オン信号を出力する。このとき、第２トーンフラッグは、「オン」になる。
【００４９】
この時点で、ノイズフラッグがオン、強度フラッグがオン、第１トーンフラッグがオン、第２トーンフラッグがオン、および、識別フラッグがオンとなっている。このとき、切替部３５が「出力状態」に切り替わり、受信装置４から受信信号がフィルタ部３６を通って外部装置（例えば、スピーカー５）に出力される。ノイズフラッグがオン、強度フラッグ、第１トーンフラッグ、第２トーンフラッグ、および、識別フラッグの少なくとも１つが、オフであるとき、切替部３５が「非出力状態」に切り替わる。この場合、受信装置４から受信信号は、外部装置に出力されない。例えば、時刻ｔ４において、第２検出部４２が、第２トーン信号ＳＢを検出しないことによって第２トーンフラッグがオフになるとき、切替部３５が「非出力状態」に切り替わる。
【００５０】
本実施形態の作用を説明する。
本実施形態と比較される参考例を説明する。参考例の送信信号は、識別信号ＳＣと、音声信号ＳＤとが１種類のトーン信号に重畳される。識別信号ＳＣの検出の確度を上げるため、トーン信号には、識別信号ＳＣが繰り返し重畳される。受信装置は、送信信号の受信後、識別信号ＳＣを検出した時点で、切替部３５の切り替えを「出力状態」に切り替える。しかし、受信装置が、時間軸上の複数の識別信号ＳＣのうち中間あたりの識別信号ＳＣを検出し、この時点で、切替部３５が「出力状態」に切り替わる場合、識別信号ＳＣおよび音声信号ＳＤを含むトーン信号が外部装置に出力される。そうすると、外部装置は、識別信号ＳＣおよび音声信号ＳＤを含むトーン信号を受ける。トーン信号はフィルタによって除去されるが、外部装置が受けた信号には識別信号ＳＣと音声信号ＳＤとが残るため、外部装置がスピーカー５の場合、識別信号ＳＣに対応する不快な音が再生されるようになる。この対策として、切替部３５の切り替えタイミングを、識別信号ＳＣの検出時から所定期間経過後とすることも考えられる。しかし、識別信号ＳＣが検出されるタイミングが遅い場合、切替部３５の切り替えタイミングが遅れるため、時間軸上で識別信号ＳＣの後に続く音声信号ＳＤのうち、音声信号ＳＤの最初の部分が取り出されない虞が生じる。すなわち、参考例の場合、受信装置は、時間軸における識別信号ＳＣと音声信号ＳＤとの境目を検出できないことによって、受信装置から出力される信号が適切なものにならない。
【００５１】
これに対して、本実施形態では、第１トーン信号ＳＡに識別信号ＳＣを重畳し、第１トーン信号ＳＡの後に続く第２トーン信号ＳＢに音声信号ＳＤを重畳する。これによって、時間軸上における識別信号ＳＣと音声信号ＳＤとの境目が、第１トーン信号ＳＡと第２トーン信号ＳＢとの切り替わり時点として検出可能になり、音声信号ＳＤが適切に出力されるようになる。
【００５２】
本実施形態の効果を説明する。
（１）送信信号ＳＴは、第１トーン信号ＳＡと、第１トーン信号ＳＡに重ねられる識別信号ＳＣと、第１トーン信号ＳＡの後に続く第２トーン信号ＳＢと、第２トーン信号ＳＢに重ねられる音声信号ＳＤとを含む。
【００５３】
この構成によれば、音声信号ＳＤは、識別信号ＳＣが重ねられる第１トーン信号ＳＡとは異なる第２トーン信号ＳＢに重ねられる。このため、受信装置４に、音声信号ＳＤの送信のタイミングを精確に知らせることができる。このように、この音声信号ＳＤによれば、音声信号ＳＤを適切に取り出すことができる。
【００５４】
（２）受信装置４は、第１トーン信号ＳＡと、第１トーン信号ＳＡに重ねられる識別信号ＳＣと、第１トーン信号ＳＡの後に続く第２トーン信号ＳＢと、第２トーン信号ＳＢに重ねられる音声信号ＳＤとを含む送信信号ＳＴを受信する。受信装置４は、受信信号に基づいて受信信号に音声信号ＳＤが含まれるか否かを判定する判定部３１と、判定部３１の判定結果に基づいて受信信号から音声信号ＳＤを取り出す取出部３２とを備える。判定部３１は、受信信号から第１トーン信号ＳＡを検出する第１検出部４１と、受信信号から第２トーン信号ＳＢを検出する第２検出部４２と、受信信号から識別信号ＳＣを検出する第３検出部４３とを備える。判定部３１は、第１検出部４１が第１トーン信号ＳＡを検出すること、第３検出部４３が識別信号ＳＣを検出すること、および第２検出部４２が第２トーン信号ＳＢを検出することに基づいて、第２トーン信号ＳＢの検出時以降、受信信号から音声信号ＳＤを取り出させるための信号を取出部３２に出力する。
【００５５】
この構成によれば、判定部３１は、第１トーン信号ＳＡ、識別信号ＳＣ、および第２トーン信号ＳＢを検出したときに、これらを含む信号に、音声信号ＳＤが含まれると判定する。そして、取出部３２は、第２トーン信号ＳＢの検出時以降、受信信号から音声信号ＳＤを取り出す。これによって、音声信号ＳＤの最初の部分が取り出されないことを抑制し、音声信号ＳＤを適切に取り出すことができる。
【００５６】
（３）好ましくは、判定部３１は、さらに、受信信号の強度が第１閾値よりも大きいか否かを判定する強度判定部４４、および、ノイズ強度が第２閾値よりも小さいか否かを判定するノイズ判定部４５をさらに備える。判定部３１は、受信信号の強度が第１閾値よりも大きいと強度判定部４４が判定すること、ノイズ強度が第２閾値よりも小さいとノイズ判定部４５が判定すること、第１検出部４１が第１トーン信号ＳＡを検出すること、第３検出部４３が識別信号ＳＣを検出すること、および、第２検出部４２が第２トーン信号ＳＢを検出すること、に基づいて、第２トーン信号ＳＢの検出時以降、受信信号から音声信号ＳＤを取り出させるための信号を取出部３２に出力する。
【００５７】
この構成によれば、判定部３１は、５個の要件が揃うことによって、受信信号から音声信号ＳＤを取り出させるための信号（信号取出指令）を取出部３２に出力する。これによって、５個未満の要件によって音声信号ＳＤの有無を判定する場合に比べて、出力する音声信号ＳＤの品質を向上できる。ここで、音声信号ＳＤの高品質とは、強度が十分に大きいこと、ノイズが小さいこと、および、混信した信号ではないことである。
【００５８】
（４）取出部３２は、切替部３５と、フィルタ部３６とを備える。切替部３５は、判定部３１の判定結果に基づいて、受信信号をフィルタ部３６に出力する出力状態と、受信信号をフィルタ部３６に出力しない非出力状態との間を切り替え、フィルタ部３６は、受信信号から第２トーン信号ＳＢを除いて音声信号ＳＤを出力する。この構成によれば、音声信号ＳＤを出力できる。
【００５９】
（５）ＷＬシステム１は、上記送信装置３と、上記受信装置４とを備える。
この構成によれば、音声信号ＳＤを適切に取り出すことができる。したがって、音声信号ＳＤの最初の音が再生されないようなことが抑制される。
【００６０】
＜その他の実施形態＞
実施形態に関する説明は、送信装置３、受信装置４、およびＷＬシステム１の例示である。送信装置３、受信装置４、およびＷＬシステム１は、以下に示される変形例、および、相互に矛盾しない少なくとも２つの変形例が組み合わせられた形態を取り得る。以下の変形例において、実施形態と共通する部分については、実施形態と同一の符号を付してその説明を省略する。
【００６１】
・第２トーン信号ＳＢは、第１トーン信号ＳＡと判別可能であればよい。実施形態では、両トーンの周波数が異なっている。これに対して、次のように構成されてもよい。第２トーン信号ＳＢの振幅は、第１トーン信号ＳＡの振幅よりも大きくてもよいし、第２トーン信号ＳＢの振幅は、第１トーン信号ＳＡの振幅よりも小さくてもよい。この場合、この場合、第２トーン信号ＳＢは、第１トーン信号ＳＡのトーン周波数と同じであってもよいし、異なるトーン周波数であってもよい。振幅レベルを検出することによって、第１トーン信号ＳＡから第２トーン信号ＳＢへの切り替わり時点を判定できる。
【００６２】
・第１トーン信号ＳＡと第２トーン信号ＳＢとの境目の時点よりも、所定時間だけ遅れた時点から、音声信号ＳＤが重畳されてもよい。これによって、音声信号ＳＤの最初の部分が取り出されないといったエラーを抑制できる。
【００６３】
・受信装置４の構成は、ダイバシティ機能を有する受信装置にも適用できる。例えば、複数のアンテナと、共通回路とを有し、受信状態によってアンテナを切り替える受信装置において、当該受信装置の共通回路にも本実施形態の受信装置４の構成を適用できる。また、複数の受信回路（アンテナを含む）を有し、受信状態によって受信回路を切り替える受信装置において、当該受信装置の受信回路にも、本実施形態の受信装置４の構成を適用できる。
【符号の説明】
【００６４】
ＳＡ…第１トーン信号、ＳＢ…第２トーン信号、ＳＣ…識別信号、ＳＤ…音声信号、ＳＴ…送信信号、ｔ１…時刻、ｔ２…時刻、ｔ３…時刻、ｔ４…時刻、１…ワイヤレスマイクロホンシステム（ＷＬシステム）、３…送信装置、４…受信装置、５…スピーカー、１０…音声取得部、１１…無線信号形成部、１２…送信部、２０…アンプ部、２１…識別信号出力部、２２…第１トーン形成部、２３…第２トーン形成部、２４…重畳部、２５…変調回路、２６…高周波送信回路、２７…第１スイッチ、２８…第２スイッチ、３０…受信部、３１…判定部、３２…取出部、３３…高周波受信回路、３４…復調回路、３５…切替部、３５ａ…回路入力部、３５ｂ…回路出力部、３５Ｃ…ミュート回路、３５ｃ…信号線、３５ｄ…グランド線、３５ｅ…スイッチ、３６…フィルタ部、４０…演算部、４１…第１検出部、４２…第２検出部、４３…第３検出部、４４…強度判定部、４５…ノイズ判定部。
【図１】
2020194581.tif 000003
【図２】
2020194581.tif 000004
【図３】
2020194581.tif 000005
【図４】
2020194581.tif 000006
【図５】
2020194581.tif 000007
【国際調査報告】
2020194581.tif 000008
2020194581.tif 000009
2020194581.tif 000010